【手続補正書】
【提出日】平成20年4月2日(2008.4.2)
【手続補正１】
【補正対象書類名】明細書
【補正対象項目名】００１２
【補正方法】変更
【補正の内容】
【００１２】
いずれの接続態様でも、特許文献１のグランドプレートを用いた同軸コネクタに較べて同軸ケーブルの接続作業性がよい。そして、基本シェルが第１ハウジングに固定されているので、基本シェルと第１ハウジングとが相対的に動くことがない。そのため、信号線を整線するときに基本シェル又は第１ハウジングが何らかの力を受けても、整線された状態が確実に維持され、これによってコンタクトが信号線の導体に確実に圧接接続し、圧接接続の不良又は不能の発生が防止される。特に、複線同軸ケーブルの信号線を整線するときに基本シェル又は第１ハウジングが信号線の撚り癖による復原力を受けても、整線された状態が確実に維持され、これによってコンタクトが信号線の導体に確実に圧接接続し、圧接接続の不良又は不能の発生が防止される。また、基本シェルと第１ハウジングとが相対的に動かないので、整線作業の作業性が向上する。さらに、基本シェルによりシールド効果が向上し、伝送特性が改善される。また、圧着部又は圧接部が同軸ケーブルに圧着接続又は圧接接続するので、電気コネクタによる同軸ケーブルの保持力が高い。さらに、外部導体は基本シェルに導通する。仮に基本シェルが相手側の導電部に接触するように構成したときには、外部導体は相手側の導電部に導通することになる。
【手続補正２】
【補正対象書類名】明細書
【補正対象項目名】００３３
【補正方法】変更
【補正の内容】
【００３３】
本発明の同軸ケーブルの電気コネクタは、特許文献１のグランドプレートを用いた同軸コネクタに較べて同軸ケーブルの接続作業性がよい。そして、同軸ケーブルの信号線を整線された状態を確実に維持できるので、コンタクトが信号線に確実に圧接接続し、圧接接続の不良又は不能の発生を防止することができ、しかも整線作業の作業性を向上させることができ、複線同軸ケーブルを接続する電気コネクタとしても好適である。さらにシールド効果向上により伝送特性を改善することができる。圧着部又は圧接部が同軸ケーブルに圧着接続又は圧接接続するので、電気コネクタによる同軸ケーブルの保持力が高い。
【手続補正３】
【補正対象書類名】明細書
【補正対象項目名】００４８
【補正方法】変更
【補正の内容】
【００４８】
図８に示すように、第２ハウジング１３０は、第１ハウジング１１０及び基本シェル１２０のうち少なくとも一方に連結するように構成されている。第２ハウジング１３０は、第１ハウジング１１０に対して線保持部１１１が設けられた側に配置される。第２ハウジング１３０の第１ハウジング１１０、基本シェル１２０又はこれら双方への連結は、例えば圧入などにより行われる。第２ハウジング１３０には、導電性のコンタクト１３１が設けられている。図１０に示すように、このコンタクト１３１は信号線２１０に圧接接続する圧接部１３１ａと、相手側のコンタクトなどの導電部（図示省略）に接触する接触部１３１ｂとを備えている。この相手側の導電部は、例えば上記電気コネクタ１００の相手側の電気コネクタのコンタクトである。圧接部１３１ａは、公知のスロットであり、信号線２１０の絶縁被覆２１２を破って導体２１１との接続を行う。そして、第２ハウジング１３０は、この第２ハウジング１３０が第１ハウジング１１０、基本シェル１２０又はこれら双方に連結したときにコンタクト１３１が圧接部１３１ａにおいて信号線２１０に圧接接続するように構成されている。
【手続補正４】
【補正対象書類名】明細書
【補正対象項目名】００４９
【補正方法】変更
【補正の内容】
【００４９】
図１１に示すように、この電気コネクタ１００は、さらに、導電性の補助シェル１４０を備えている。この補助シェル１４０は、基本シェル１２０に接触し、第１ハウジング１１０、基本シェル１２０及び第２ハウジング１３０のうち少なくとも一つに連結するように構成されている。この実施形態では、補助シェル１４０は、基本シェル１２０の周縁に接触し、第１ハウジング１１０及び第２ハウジング１３０に圧入により連結するように構成されている。補助シェル１４０には、基本シェル１２０における圧着部１２１の間で厚さ方向に延びるシェル片が設けられている。しかし、本発明の電気コネクタの補助シェルは、このような構造に限定されるものではない。補助シェル１４０は、相手側の導電部（図示省略）に接触するように構成してもよく、そうしたときには、基本シェル１２０は補助シェル１４０を介して相手側の導電部に導通することになる。本発明は、補助シェル１４０を、相手側の導電部に接触しないように構成した電気コネクタ１００の実施形態を含む。
【手続補正５】
【補正対象書類名】明細書
【補正対象項目名】００５４
【補正方法】変更
【補正の内容】
【００５４】
その場合、特許文献１のグランドプレートを用いた同軸コネクタに較べて同軸ケーブルの接続作業性がよい。そして、基本シェル１２０が第１ハウジング１１０に固定されているので、基本シェル１２０と第１ハウジング１１０とが相対的に動くことがない。そのため、信号線２１０を整線するときに基本シェル１２０又は第１ハウジング１１０が何らかの力を受けても、整線された状態が確実に維持され、これによってコンタクト１３１が信号線２１０に確実に圧接接続し、圧接接続の不良又は不能の発生が防止される。特に、複線同軸ケーブル２００の信号線２１０を整線するときに基本シェル１２０又は第１ハウジング１１０が信号線２１０の撚り癖による復原力を受けても、整線された状態が確実に維持され、これによってコンタクト１３１が信号線２１０の導体２１１に確実に圧接接続し、圧接接続の不良又は不能の発生が防止される。また、基本シェル１２０と第１ハウジング１１０とが相対的に動かないので、整線作業の作業性が向上する。さらに、基本シェル１２０によりシールド効果が向上し、伝送特性が改善される。また、圧着部１２１により同軸ケーブル２００に圧着接続するので、電気コネクタ１００による同軸ケーブル２００の保持力が高い。さらに、外部導体２２０は基本シェル１２０に導通する。基本シェル１２０が相手側の導電部に接触するように構成したときには、外部導体２２０は相手側の導電部に導通することになる。
【手続補正６】
【補正対象書類名】明細書
【補正対象項目名】００７２
【補正方法】変更
【補正の内容】
【００７２】
その場合、特許文献１のグランドプレートを用いた同軸コネクタに較べて同軸ケーブルの接続作業性がよい。そして、基本シェル１２０が第１ハウジング１１０に固定されているので、基本シェル１２０と第１ハウジング１１０とが相対的に動くことがない。そのため、信号線２１０を整線するときに基本シェル１２０又は第１ハウジング１１０が何らかの力を受けても、整線された状態が確実に維持され、これによってコンタクト１３１が信号線２１０に確実に圧接接続し、圧接接続の不良又は不能の発生が防止される。特に、複線同軸ケーブル２００の信号線２１０を整線するときに基本シェル１２０又は第１ハウジング１１０が信号線２１０の撚り癖による復原力を受けても、整線された状態が確実に維持され、これによってコンタクト１３１が信号線２１０の導体２１１に確実に圧接接続し、圧接接続の不良又は不能の発生が防止される。また、基本シェル１２０と第１ハウジング１１０とが相対的に動かないので、整線作業の作業性が向上する。さらに、基本シェル１２０によりシールド効果が向上し、伝送特性が改善される。また、圧接部１２３により同軸ケーブル２００に圧接接続するので、電気コネクタ１００による同軸ケーブル２００の保持力が高い。さらに、外部導体２２０は基本シェル１２０に導通する。基本シェル１２０が相手側の導電部に接触するように構成したときには、外部導体２２０は相手側の導電部に導通することになる。